(57)【要約】【課題】棚付属品を収納するための収納室を備えるショーケースにおいて、幼小児による収納室へのいたずらを排除でき、さらに簡便に棚付属品を収納、あるいは取り出すことができるようにする。【解決手段】本体ケース１と、本体ケース１で囲まれる庫内を、陳列室３と循環通路４とに区画する内ケース２と、陳列室３に上下多段状に設置される複数の棚板２５とを備え、各棚板２５が、着脱自在に装着される仕切体５１Ａにより複数個の領域に区分可能に構成されているショーケースを対象とする。内ケース２は、背面板１１と、背面板１１の下端に連続する底板１３とを備える。背面板１１と底板１３とにより規定される内ケース２の入隅部Ｃに、仕切体５１Ａを含む棚付属品５１を保管するための収納室５２を設ける。【選択図】図１
2020005699.tif 000002
【特許請求の範囲】
【請求項１】
正面に開口を有する断熱箱体からなる本体ケース（１）と、
本体ケース（１）で囲まれる庫内を、陳列室（３）と循環通路（４）とに区画する内ケース（２）と、
陳列室（３）に上下多段状に設置される複数の棚板（２５）とを備え、
各棚板（２５）が、着脱自在に装着される仕切体（５１Ａ）により複数個の領域に区分可能に構成されているショーケースにおいて、
内ケース（２）は、循環通路（４）の縦ダクト（１６）を区画する背面板（１１）と、背面板（１１）の下端に連続して循環通路（４）の下ダクト（１８）を区画する底板（１３）とを備えており、
背面板（１１）と底板（１３）とにより規定される内ケース（２）の入隅部（Ｃ）に、仕切体（５１Ａ）を含む棚付属品（５１）を保管するための収納室（５２）が設けられていることを特徴とするショーケース。
【請求項２】
入隅部（Ｃ）に臨む背面板（１１）に、陳列室（３）と縦ダクト（１６）とを連通する一群の冷気供給孔（３３）が形成されており、
入隅部（Ｃ）に、一群の冷気供給孔（３３）を介して縦ダクト（１６）から陳列室（３）へ供給された冷気を、最下段の棚板（２５Ｂ）へ向かって案内する冷気ガイド（３４）が設けられており、
冷気ガイド（３４）に収納室（５２）が区画形成されている請求項１に記載のショーケース。
【請求項３】
冷気ガイド（３４）は、冷気を最下段の棚板（２５Ｂ）へ向かって案内するガイド壁（３５）を備えており、
ガイド壁（３５）に、収納室（５２）を区画する収納凹部（５３）が下向きに凹み形成されて、該収納凹部（５３）の上面開口に、平板状の蓋体（５４）が開閉自在に設けられている請求項２に記載のショーケース。
【請求項４】
ガイド壁（３５）は、前側に向かって下り傾斜する平板状に形成されて、該ガイド壁（３５）の後端が背面板（１１）に連結されており、
ガイド壁（３５）の前端の高さ位置が、最下段の棚板（２５Ｂ）の後端上面の高さ位置と同じか、これより高い位置に設けられている請求項３に記載のショーケース。
【請求項５】
陳列室（３）に設置される各棚板（２５）は、それぞれ前後寸法が共通する同一構造の棚板（２５）で構成されており、
最下段の棚板（２５Ｂ（２５））の前端が、残る他の棚板（２５Ａ（２５））の前端よりも前側にせり出すように各棚板（２５）が設置されている請求項１から４のいずれかひとつに記載のショーケース。
【請求項６】
背面板（１１）に、複数のダンパー開口（４６）が多段状に設けられて、該ダンパー開口（４６）のいずれかひとつに差込み装着される中間ダクト（４１）で、陳列室（３）の内部が中間ダクト（４１）よりも下側の低温エリア（Ａ１）と、上側の高温エリア（Ａ２）とに区分できるように構成されており、
各棚板（２５）は、本体ケース（１）の左右に装着される左右一対の棚ブラケット（２６）で支持されており、
最下段の棚板（２５）を支持する一対の棚ブラケット（２６）のそれぞれに、中間ダクト（４１）の左右端部が載置された状態で中間ダクト（４１）を収納するためのダクト収納レール（６６）が内向きに突設されている請求項１から５のいずれかひとつに記載のショーケース。
【発明の詳細な説明】
【技術分野】
【０００１】
本発明は、棚板に着脱自在に装着される商品仕切り棒等の棚付属品を保管するための収納室を備えたショーケースに関する。
【背景技術】
【０００２】
この種のショーケースは、例えば特許文献１に公知である。特許文献１の冷温蔵用ショーケースでは、最下段の商品陳列棚の前端部下方で、冷気吸込口の後部のデッキ部（陳列室の底部）に、棚フェンスや商品仕切り用ワイヤーなどの棚付属品を収納可能な収納部（収納室）が設けられている。棚付属品は収納部の上部開口からその内部へと収納でき、該上部開口は着脱可能なカバーで閉鎖できる。
【先行技術文献】
【特許文献】
【０００３】
【特許文献１】特開２００７−２９５９９２号公報
【発明の概要】
【発明が解決しようとする課題】
【０００４】
特許文献１に係るショーケースによれば、棚付属品をデッキ部に設けた収納部に収納できるので、不使用時における棚付属品を店舗のバックヤード等に保管する必要がない。そのため、棚付属品の紛失を防止でき、さらに棚付属品を使用するときには、収納部から取り出せばよいので、棚付属品をバックヤード等に取りに行く手間を省いて、陳列商品の変更に要する時間を短縮できる。しかし、特許文献１のショーケースの収納部は、身長の低い幼小児の手が届きやすいデッキ部の手前寄りに配置されている。そのため、幼小児のいたずらによりカバーが開放されるおそれがあり、さらに収納された棚付属品が取り出されるおそれもある。また、店舗によっては手前側のデッキ部上に商品が陳列されるため、収納部のカバー上にも商品が載置された場合には、棚付属品を収納あるいは取り出すためには、カバー上の商品をその都度移動させる必要がある。
【０００５】
本発明は、棚付属品を収納するための収納室を備えるショーケースにおいて、幼小児による収納室へのいたずらを排除でき、さらに簡便に棚付属品を収納、あるいは取り出すことができるようにすることを目的とする。
【課題を解決するための手段】
【０００６】
本発明は、正面に開口を有する断熱箱体からなる本体ケース１と、本体ケース１で囲まれる庫内を、陳列室３と循環通路４とに区画する内ケース２と、陳列室３に上下多段状に設置される複数の棚板２５とを備え、各棚板２５が、着脱自在に装着される仕切体５１Ａにより複数個の領域に区分可能に構成されているショーケースを対象とする。内ケース２は、循環通路４の縦ダクト１６を区画する背面板１１と、背面板１１の下端に連続して循環通路４の下ダクト１８を区画する底板１３とを備えている。背面板１１と底板１３とにより規定される内ケース２の入隅部Ｃに、仕切体５１Ａを含む棚付属品５１を保管するための収納室５２が設けられていることを特徴とする。
【０００７】
入隅部Ｃに臨む背面板１１に、陳列室３と縦ダクト１６とを連通する一群の冷気供給孔３３が形成されている。入隅部Ｃに、一群の冷気供給孔３３を介して縦ダクト１６から陳列室３へ供給された冷気を、最下段の棚板２５Ｂへ向かって案内する冷気ガイド３４が設けられている。冷気ガイド３４に収納室５２を区画形成することができる。
【０００８】
冷気ガイド３４は、冷気を最下段の棚板２５Ｂへ向かって案内するガイド壁３５を備える。ガイド壁３５に、収納室５２を区画する収納凹部５３を下向きに凹み形成し、該収納凹部５３の上面開口に、平板状の蓋体５４を開閉自在に設けることができる。
【０００９】
ガイド壁３５は、前側に向かって下り傾斜する平板状に形成されて、該ガイド壁３５の後端が背面板１１に連結される。ガイド壁３５の前端の高さ位置は、最下段の棚板２５Ｂの後端上面の高さ位置と同じか、これより高い位置に設けることが好ましい。
【００１０】
陳列室３に設置される各棚板２５は、それぞれ前後寸法が共通する同一構造の棚板２５で構成する。最下段の棚板２５Ｂ（２５）の前端を、残る他の棚板２５Ａ（２５）の前端よりも前側にせり出すように各棚板２５を設置する形態を採ることができる。
【００１１】
背面板１１に、複数のダンパー開口４６を多段状に設けて、該ダンパー開口４６のいずれかひとつに差込み装着される中間ダクト４１で、陳列室３の内部が中間ダクト４１よりも下側の低温エリアＡ１と、上側の高温エリアＡ２とに区分できるように構成する。各棚板２５は、本体ケース１の左右に装着される左右一対の棚ブラケット２６で支持する。最下段の棚板２５を支持する一対の棚ブラケット２６のそれぞれに、中間ダクト４１の左右端部が載置された状態で中間ダクト４１を収納するためのダクト収納レール６６を内向きに突設することができる。
【発明の効果】
【００１２】
本発明に係るショーケースにおいては、棚付属品５１を保管するための収納室５２を、背面板１１と底板１３とにより規定される内ケース２の入隅部Ｃに設けた。この入隅部Ｃは陳列室３の下側奥部に位置しており、正面から最も離れた箇所であり幼小児の手は届きにくく、従って当該入隅部Ｃに収納室５２を設けることで、幼小児によるいたずらを効果的に排除することができる。また、入隅部Ｃは購買者の目に留まりにくく、本来的に商品陳列箇所ではないため、当該入隅部Ｃに収納室５２を設けることで、商品を移動させる必要なく簡便に収納室５２へ棚付属品５１を収納し、あるいは収納室５２から棚付属品５１を取り出すことができる。
【００１３】
入隅部Ｃに、冷気を最下段の棚板２５Ｂへ向かって案内する冷気ガイド３４を設けると、入隅部Ｃに供給された冷気を最下段の棚板２５Ｂの商品周囲へと供給して、同棚板２５Ｂに陳列された商品を適正に冷却することができる。加えて、入隅部Ｃに設けられる冷気ガイド３４に収納室５２を区画形成すると、入隅部Ｃに冷気ガイド３４を設置するだけで、入隅部Ｃに収納室５２を設けることができる。これにより、冷気ガイド３４と収納室５２とを入隅部Ｃにそれぞれ設置する場合に比べて、ショーケースの構造を簡素化して、製造コストを削減できる。
【００１４】
冷気ガイド３４は、冷気を最下段の棚板２５Ｂへ向かって案内するガイド壁３５を備え、該ガイド壁３５に、収納室５２を区画する収納凹部５３を下向きに凹み形成した。これによれば、ガイド壁３５に収納室５２を構成する収納凹部５３を一体に形成するので、入隅部Ｃにおけるショーケースの構造をより簡素化して、製造コストを削減できる。また、収納凹部５３の上面開口に、平板状の蓋体５４を開閉自在に設けると、収納室５２内に保管された棚付属品５１等が購買者に目視されることを防ぐことができ、加えて収納室５２を目立たなくすることができる。従って収納室５２を設けたことに伴って、ショーケースの外観体裁が損なわれることを防ぐことができる。なお、平板状の蓋体５４によれば、ガイド壁３５の上面で案内される冷気の流れは、蓋体５４でほとんど乱されることはなく、最下段の棚板２５Ｂへと冷気をスムーズに案内できる。
【００１５】
冷気供給孔３３から陳列室３へ供給された冷気の温度は、陳列室３内の空気の温度よりも低くその分比重が大きいので、冷気は下側に流動しようとする。そこで、本発明では、冷気ガイド３４のガイド壁３５は、前側に向かって下り傾斜する平板状に形成して、その後端を背面板１１に連結した。これによれば、冷気供給孔３３から陳列室３に供給された冷気は、前側に向かって下り傾斜するガイド壁３５の上面で受止められたのち前側へと案内され、最下段の棚板２５Ｂに陳列された商品へスムーズかつ均一に供給される。また、ガイド壁３５の前端の高さ位置を、最下段の棚板２５の上面後端の高さ位置と同じか、これより高い位置に設けたので、ガイド壁３５で案内した冷気を確実に商品周囲へと供給して、陳列された商品を適正に冷却することができる。加えて、前側に向かって下り傾斜するガイド壁３５に収容凹部５３が凹み形成されるので、ショーケースの正面側からの収納室５２へのアクセスが容易となり、棚付属品５１の収納あるいは取り出しを簡便に行うことができる。
【００１６】
陳列室３に設置される各棚板２５は、それぞれ前後寸法が共通する同一構造の棚板２５で構成し、最下段の棚板２５Ｂの前端が、残る他の棚板２５Ａの前端よりも前側にせり出すように各棚板２５を設置した。これによれば、最下段の棚板２５Ｂを、他の棚板２５Ａよりも購買者寄りに近づけて、購買者の目に留まりにくい最下段の棚板２５Ｂに陳列された商品を目立たせることができる。また、陳列室３内に設置される棚板２５を複数種用意する必要がない分、ショーケースの製造に要するコストを低減できる。
【００１７】
陳列室３の内部は、中間ダクト４１で同ダクト４１よりも下側の低温エリアＡ１と、上側の高温エリアＡ２とに区分できるように構成した。また、各棚板２５は、本体ケース１に装着される左右一対の棚ブラケット２６で支持し、最下段の棚板２５を支持する一対の棚ブラケット２６のそれぞれに、中間ダクト４１の左右端部が載置された状態で中間ダクト４１を収納するためのダクト収納レール６６を内向きに突設した。これによれば、陳列室３の内部を低温エリアＡ１と高温エリアＡ２とに区分しない状態でショーケースを使用するときに、中間ダクト４１をダクト収納レール６６に載置して収納しておくことができる。これにより、不使用時の中間ダクト４１をバックヤード等に保管する必要がなく、中間ダクト４１を使用するときには、手間を要することなくダンパー開口４６に中間ダクト４１を差込み装着して、陳列室３の内部を低温エリアＡ１と高温エリアＡ２とに区分して２温度式のショーケースとして使用することができる。
【図面の簡単な説明】
【００１８】
【図１】本発明が適用されたオープンショーケースの要部を示す縦断側面図である。
【図２】オープンショーケースの縦断側面図である。
【図３】オープンショーケースの下半部の正面図である。
【図４】オープンショーケースの下半部の縦断側面図である。
【図５】冷気ガイドおよび蓋体を分解した状態を示す縦断側面図である。
【図６】固定具を示す縦断正面図であり、図１におけるＡ−Ａ線断面図である。
【発明を実施するための形態】
【００１９】
（実施例）  図１から図６に、本発明を２温度式のオープンショーケースに適用した実施例を示す。この実施例における前後、左右、上下とは、図１から図３に示す交差矢印と、各矢印の近傍に表記した前後、左右、上下の表示に従う。図２においてオープンショーケースは、本体ケース１と、本体ケース１の内側に配置される内ケース２とを備えており、本体ケース１で囲まれる庫内が内ケース２で陳列室３と循環通路４に区画されている。本体ケース１は、天壁７、底壁８、後壁９、および左右の側壁１０・１０を備える、正面が開口する断熱箱体で形成されている。
【００２０】
内ケース２は、本体ケース１の後壁９と正対する背面板１１と、背面板１１の上端から前向きに伸びて天壁７と正対する天板１２と、背面板１１の下端から前向きに伸びて底壁８と正対する底板１３とを備え、背面板１１が僅かに後傾する側面視略コ字状に形成されている。背面板１１と底板１３とにより規定される内ケース２の入隅部Ｃには、後述する冷気ガイド３４および収納室５２が設けられている。
【００２１】
循環通路４は、後壁９と背面板１１との間に形成されて上下に伸びる縦ダクト１６と、天壁７と天板１２との間に形成されて前後に伸びる上ダクト１７と、底壁８と底板１３との間に形成されて前後に伸びる下ダクト１８とで構成されている。上ダクト１７の前端は陳列室３の上部前端に設けた下向きの吹出口１９に接続され、下ダクト１８の前端は陳列室３の下部前端に設けた上向きの吸込口２０に接続されている。縦ダクト１６の下端には蒸発器２１が設置され、下ダクト１８の後端には冷気循環用の送風ファン２２が設置されている。吹出口１９から吹き出され吸込口２０へと吸い込まれる循環冷気は、陳列室３内を冷却しつつ、陳列室３の前面にエアカーテンを形成している。蒸発器２１は、図示していない外部ユニット内に設置された圧縮機、凝縮器、凝縮ファンなどと冷凍装置を構成しており、外部ユニット内の圧縮機および凝縮器と、蒸発器２１とは冷媒管路を介して接続されている。
【００２２】
陳列室３には、飲料などの商品（陳列物）を載置するための棚板２５が上下多段状に設置されており、上側４段の棚板２５Ａと最下段の棚板２５Ｂとで構成されている。図３および図４に示すように各棚板２５は、左右一対の棚ブラケット２６で支持されており、上側４段の棚板２５Ａを支持する一対の棚ブラケット２６Ａは、本体ケース１の左右に設けた棚柱２７に装着されている。図示していないが、棚ブラケット２６Ａの後端には複数の掛止爪が一体に形成されており、棚柱２７に形成された一群の掛止孔に掛止爪を掛止装着することにより、棚ブラケット２６Ａは棚柱２７で片持ち状に支持される。掛止爪を掛止装着する掛止孔を変更することで、陳列室３の任意の高さ位置に棚板２５Ａを設置することができる。また、最下段の棚板２５Ｂを支持する棚ブラケット２６Ｂは、先の棚ブラケット２６Ａとは形状が異なり、内ケース２の左右に固定された図示しない一対のブラケット固定具にそれぞれ支持固定されている。
【００２３】
各棚板２５の後端左右には、姿勢変更アーム２９が設けられており、棚ブラケット２６に対する姿勢変更アーム２９の固定位置を変更することにより、棚板２５の上面が水平となる水平姿勢（図２における下側３段の棚板２５）と、棚板２５の上面が前下がりに傾斜する傾斜姿勢（図２における上側２段の棚板２５）とに、棚板２５の姿勢を切換えることができる。棚板２５の内部には、棚板２５上に載置された商品を加熱するためのヒータープレート３０が内蔵されている。なお、常時商品を冷却陳列する棚板２５においては、ヒータープレート３０を省略することができる。
【００２４】
本実施例における各棚板２５（２５Ａ・２５Ｂ）は、それぞれ前後寸法および左右寸法が共通する同一構造の棚板２５であり、このように、陳列室３に設置される各棚板２５を同一構造の棚板２５で構成すると、棚板２５を複数種用意する必要がない分、ショーケースの製造に要するコストを低減できる。図２に示すように上側４段の棚板２５Ａは、その後端が背面板１１に近接する状態で設置されている。また、最下段の棚板２５Ｂは、その後端が背面板１１から所定距離だけ離れた位置に設置されており、最下段の棚板２５Ｂの前端が、残る他の棚板２５Ａの前端よりも前側にせり出すように設置されている。このように、最下段の棚板２５Ｂの前端が前側にせり出すように各棚板２５を設置すると、最下段の棚板２５Ｂを、他の棚板２５よりも購買者寄りに近づけて、購買者の目に留まりにくい最下段の棚板２５Ｂに陳列された商品を目立たせることができる。
【００２５】
図３および図５に示すように、入隅部Ｃに臨む背面板１１には、陳列室３と縦ダクト１６とを連通する一群の冷気供給孔３３が設けられており、縦ダクト１６の冷気を陳列室３へ供給できるようになっている。
【００２６】
入隅部Ｃには、冷気供給孔３３から陳列室３へ供給された冷気を、最下段の棚板２５へ向かって案内する冷気ガイド３４が設けられている。冷気ガイド３４は、平板状に形成された上側のガイド壁３５と、ガイド壁３５の前端から下向きに連設される前カバー壁３６と、ガイド壁３５および前カバー壁３６の左右端に連設される一対の側カバー壁３７・３７とを備えている。ガイド壁３５は前側に向かって下り傾斜するように形成され、前カバー壁３６は背面板１１と略平行に形成されている。冷気ガイド３４は、ガイド壁３５の後端がビスで背面板１１に連結固定され、前カバー壁３６の下端がビスで底板１３に連結固定されることにより、背面板１１と底板１３とで規定される入隅部Ｃに固定されている。ガイド壁３５の前端の高さ位置は、最下段の棚板２５Ｂの後端上面の高さ位置と同じか、これより高い位置に設けられていることが好ましく、本実施例では、ガイド壁３５の前端の高さ位置は、最下段の棚板２５Ｂの後端上面の高さ位置より高い位置に設けるようにした。
【００２７】
一群の冷気供給孔３３は、ガイド壁３５の連結位置よりも上側、および下側の背面板１１に設けられており、各冷気供給孔３３からは、蒸発器２１を通過した熱交換後の冷気が陳列室３へと供給されるようになっている。そのため、陳列室３へ供給された冷気の温度は、陳列室３内の温度よりも低くその分比重が大きいので、当該冷気は下側に流動しようとする。従って、ガイド壁３５よりも上側の冷気供給孔３３から陳列室３に供給された冷気は、ガイド壁３５の上面で受止められ、同壁３５の上面に沿って棚板２５Ｂ側へと案内される。また、ガイド壁３５よりも下側の冷気供給孔３３から陳列室３に供給された冷気は、内ケース２の背面板１１および底板１３と、冷気ガイド３４の各壁３５・３６・３７とで囲まれる空間内に供給され、当該空間内の冷気は、前カバー壁３６の上部に設けられた開口群３８から棚板２５Ｂ側へと向かって吹出される。
【００２８】
上記のように、入隅部Ｃに、冷気を最下段の棚板２５Ｂへ向かって案内する冷気ガイド３４を設けると、入隅部Ｃに供給された冷気を循環冷気が届きにくい最下段の棚板２５Ｂの商品周囲へと供給して、同棚板２５Ｂに陳列された商品を適正に冷却することができる。冷気ガイド３４のガイド壁３５は、前側に向かって下り傾斜する平板状に形成して、その後端を背面板１１に連結したので、ガイド壁３５より上側の冷気供給孔３３から陳列室３に供給された冷気は、最下段の棚板２５Ｂに陳列された商品へスムーズかつ均一に供給される。また、ガイド壁３５の前端の高さ位置を、最下段の棚板２５Ｂの上面後端の高さ位置より高い位置に設けたので、ガイド壁３５で案内した冷気を確実に商品周囲へと供給して、陳列された商品を適正に冷却することができる。
【００２９】
陳列室３の内部は、陳列室３の上下中途部に設けられた棚板２５Ａの下面に装着される中間ダクト４１で、該中間ダクト４１よりも下側の低温エリアＡ１と、同ダクト４１より上側の高温エリアＡ２とに区分されている。中間ダクト４１は、上下に扁平な中空箱状に形成されるダクト本体４２と、該ダクト本体４２の後端に一体に形成されるダンパー部４３とを備えている。ダンパー部４３は、前面および下面が開口する四角箱状に形成されており、前面の開口はダクト本体４２の内部に連通し、下面の開口は縦ダクト１６の冷気をダクト本体４２の内部へと導入する冷気導入口４４となっている。ダクト本体４２の前端部には、左右端にわたってダクト吹出口４５が設けられている。
【００３０】
図２に示すように、背面板１１の上下中途部には、先の中間ダクト４１のダンパー部４３が差込み装着される複数のダンパー開口４６が多段状に設けられている。各ダンパー開口４６は、背面板１１で揺動自在に支持されるフラップ状のシャッター４７で閉鎖されており、常態におけるシャッター４７は、自重によりダンパー開口４６を閉鎖する閉じ姿勢に保持されており、ダンパー部４３が差込み装着によりシャッター４７が開放操作される。中間ダクト４１は、ダクト本体４２を棚板２５Ａに設けた装着構造（図示していない）に装着しつつ、そのダンパー部４３を対応するダンパー開口４６に差込み装着することにより、棚板２５Ａの下面に装着固定される。
【００３１】
棚板２５Ａに中間ダクト４１を装着している状態では、ダンパー部４３は縦ダクト１６を上下に分断しており、蒸発器２１を通過した冷気は、冷気導入口４４からダクト本体４２に導入され、その全量がダクト吹出口４５から吸込口２０に向かって吹き出される。これにより、中間ダクト４１よりも上側の陳列室３には冷気が供給されず、従って、陳列室３の内部が、中間ダクト４１よりも下側の低温エリアＡ１と、中間ダクト４１より上側の高温エリアＡ２とに区分される。また、ダクト吹出口４５から吹出される冷気で低温エリアＡ１の前面にエアカーテンが形成される。なお、高温エリアＡ２の棚板２５Ａに載置された商品は、室内温度のまま陳列してもよいし、ヒータープレート３０に通電して商品を加熱した状態で陳列してもよい。
【００３２】
各棚板２５は、着脱自在に装着される仕切り棒（仕切体）５１Ａで、その上面が複数個の領域に区分可能に構成されている。仕切り棒５１Ａは、前後方向に沿って並列状に装着することができ、例えば飲料に代表される容器入りの商品を整列配置するために利用される。仕切り棒５１Ａは、両端が同一方向に折曲げられたステンレス鋼製の細丸棒である。仕切り棒５１Ａはその折り曲げ部分が、棚板２５の上面の前後縁部に形成された装着穴５１Ｂに差込まれることにより棚板２５に装着される（図１参照）。複数の仕切り棒５１Ａを左右方向に並列状に装着し、隣り合う仕切り棒５１Ａ・５１Ａ間に商品を陳列することにより、棚板２５上に商品を整列配置できる。仕切り棒５１Ａ以外の棚付属品５１としては、商品値札、商品広告用ポップなどを挙げることができる。例えば仕切り棒５１Ａは、陳列する商品によって棚板２５に装着する使用本数が異なるので、使用しない仕切り棒５１Ａは保管しておく必要がある。余剰の仕切り棒５１Ａを店舗のバックヤード等に保管していると、紛失のおそれがあり、また商品変更時にバックヤードまで仕切り棒５１Ａを取りに行く必要がある。そのため、本実施例のショーケースにおいては、ショーケースに棚付属品５１（仕切り棒５１Ａ）を保管するための収納室５２が設けられている。
【００３３】
棚付属品５１の収納室５２は、冷気ガイド３４に区画形成されて入隅部Ｃに設けられている。詳しくは、図１に示すように、ガイド壁３５に上面が開口する左右に長い四角箱状の収納凹部５３が凹み形成されており、該収納凹部５３の上面開口には、平板状の蓋体５４が開閉自在に設けられている。これら収納凹部５３と蓋体５４とで囲まれた空間が収納室５２とされており、これにより、本実施例の収納室５２は陳列室３の下側奥部に配置される。収納室５２への棚付属品５１の収納、あるいは収納室５２からの棚付属品５１の取り出しは、最下段の棚板２５Ｂの上面側から行う。
【００３４】
蓋体５４の前後縁部には、前後一対の補強リブ５５が下向きに折曲げ形成されており、該補強リブ５５で平板状の蓋体５４が波打つように変形するのを防止している。補強リブ５５の左右寸法は、収納凹部５３の左右寸法より僅かに小さく形成され、一対の補強リブ５５の前後方向における外法寸法は、収納凹部５３の前後寸法より僅かに小さく形成されている。蓋体５４の左右寸法は、収納凹部５３の左右寸法より後述する固定具５８を設ける分だけ大きく形成されており、上面開口を閉鎖した状態における蓋体５４は、その左右端がガイド壁３５の上面に載置され、一対の補強リブ５５は収納凹部５３内に収容されている。本実施例の収納凹部５３の左右寸法は、冷気ガイド３４の左右寸法の略半分に設定されている。
【００３５】
上記のように、入隅部Ｃに設けられる冷気ガイド３４に収納室５２を区画形成すると、入隅部Ｃに冷気ガイド３４を設置するだけで、入隅部Ｃに収納室５２を設けることができる。これにより、冷気ガイド３４と収納室５２とを陳列室３内にそれぞれ設置する場合に比べて、入隅部Ｃにおけるショーケースの構造を簡素化して、その製造に要するコストを低減できる。また、ガイド壁３５に、収納室５２を区画する収納凹部５３を下向きに凹み形成すると、ガイド壁３５に収納室５２を構成する収納凹部５３を一体に形成するので、入隅部Ｃにおけるショーケースの構造をより簡素化して、その製造に要するコストをさらに低減できる。加えて、収容凹部５３は、前側に向かって下り傾斜するガイド壁３５に凹み形成されるので、ショーケースの正面側からの収容凹部５３へのアクセスが容易となり、棚付属品５１の収納あるいは取り出しを簡便に行うことができる。
【００３６】
蓋体５４は、左右一対の固定具５８でガイド壁３５に固定されている。図６に示すように固定具５８は、グロメット５９と、該グロメット５９を上下に貫通する貫通孔に挿入されるプランジャー６０とからなるラッチ式固定具である。グロメット５９は、先端軸部５９Ａ、細軸部５９Ｂ、およびフランジ部５９Ｃからなり、先端軸部５９Ａが径方向に拡縮変形可能に構成されている。蓋体５４の左右端には、固定具５８が装着される固定孔６１がそれぞれ開口されており、該固定孔６１は縮径状態における先端軸部５９Ａの直径よりも僅かに小さい直径とされている。これにより、グロメット５９を固定孔６１に圧嵌させると、先端軸部５９Ａとフランジ部５９Ｃとの間の細軸部５９Ｂ部分が固定孔６１に遊嵌して、グロメット５９は蓋体５４に分離不能に装着される。
【００３７】
固定具５８に対応するガイド壁３５には、グロメット５９の先端軸部５９Ａの直径よりも僅かに大きな装着孔６２がそれぞれ開口されており、該装着孔６２に先端軸部５９Ａを挿入したのちプランジャー６０を押し込むことでグロメット５９の先端軸部５９Ａが拡径される。これにより、固定具５８は装着孔６２に係合し、蓋体５４はガイド壁３５に一体的に固定される。蓋体５４を取外すときには、グロメット５９を保持してプランジャー６０のみを上方に引き上げることで先端軸部５９Ａが縮径するので、グロメット５９を装着孔６２から抜き外して蓋体５４をガイド壁３５から分離することができる。このようにラッチ式固定具からなる固定具５８によれば、蓋体５４の着脱を容易化できる分、棚付属品５１の収納あるいは取出しを簡便に行うことができる。固定具５８としては、例えば株式会社ニフコからニフラッチ（登録商標）の商品名で市販されているラッチ式固定具を利用することができる。
【００３８】
上記のように、収納凹部５３の上面開口に、平板状の蓋体５４を開閉自在に設けると、収納室５２内に保管された棚付属品５１等が購買者に目視されるのを回避して商品を見栄えよく陳列できる。なお、平板状の蓋体５４によれば、ガイド壁３５の上面で案内される冷気の流れは、蓋体５４でほとんど乱されることはなく、最下段の棚板２５Ｂへと冷気をスムーズに案内できる。
【００３９】
中間ダクト４１を手前側に引き抜き、同ダクト４１を上下中途部の棚板２５から取外すことにより、陳列室３を低温エリアＡ１と高温エリアＡ２とに区分せず、陳列室３の全体を同一温度で冷却できる。この場合には、取外した中間ダクト４１を保管する必要がある。使用しない中間ダクト４１を店舗のバックヤード等に保管していると、紛失のおそれがあり、また商品変更時にバックヤードまで中間ダクト４１を取りに行く必要がある。そのため、本実施例のショーケースにおいては、ショーケースに中間ダクト４１を保管するためのダクト収納部６５が最下段の棚板２５Ｂの下方に設けられている。
【００４０】
最下段の棚板２５Ｂを支持する一対の棚ブラケット２６Ｂ（２６）のそれぞれには、中間ダクト４１のダクト本体４２の左右端部が載置されるダクト収納レール６６が内向きに突設されている。不使用時における中間ダクト４１は、陳列室３の前側から同ダクト４１を、棚板２５Ｂの下面と一対のダクト収納レール６６の上面との間に差込むことにより、ダクト本体４２の左右端部が一対のダクト収納レール６６で支持される状態で、ダクト収納部６５に収納することができる。本実施例では、ダクト収納部６５に収納された中間ダクト４１の取出しを容易化するために、収納状態にある中間ダクト４１の前端は棚板２５の前端よりも僅かに前側に位置するように収納されている。このとき、ダンパー部４３は、冷気ガイド３４の前カバー壁３６と干渉するため、該前カバー壁３６に前面が開口する左右に長い四角箱状の逃げ凹部６７が形成されている。中間ダクト４１は、逃げ凹部６７の内奥側の壁面に、ダンパー部４３の後端が接当する状態でダクト収納部６５に収納される。
【００４１】
上記のように、最下段の棚板２５Ｂを支持する一対の棚ブラケット２６Ｂのそれぞれに、ダクト収納レール６６を内向きに突設してダクト収納部６５を設けると、陳列室３の内部を低温エリアＡ１と高温エリアＡ２とに区分しない状態でショーケースを使用するときに、中間ダクト４１をダクト収納レール６６に載置して収納しておくことができる。これにより、不使用時の中間ダクト４１をバックヤード等に保管する必要がなく、中間ダクト４１を使用するときには、手間を要することなくダンパー開口４６に中間ダクト４１を差込み装着して、陳列室３の内部を低温エリアＡ１と高温エリアＡ２とに区分して２温度式のショーケースとして使用することができる。
【００４２】
以上のように、本実施例に係るショーケースでは、棚付属品５１を保管するための収納室５２を、背面板１１と底板１３とにより規定される内ケース２の入隅部Ｃに設けた。こうしたショーケースによれば、収納室５２は、幼小児の手が届きにくい陳列室３の下側奥部に配置されるので、幼小児による収納室５２へのいたずらを効果的に排除することができる。また、入隅部Ｃは購買者の目に留まりにくく、本来的に商品陳列箇所ではないため、当該入隅部Ｃに収納室５２を設けることで、商品を移動させる必要なく簡便に収納室５２へ棚付属品５１を収納し、あるいは収納室５２から棚付属品５１を取り出すことができる。
【００４３】
上記の実施例では、冷気ガイド３４は、少なくともガイド壁３５を備えていればよく、前カバー壁３６および側カバー壁３７は省略できる。最下段の棚板２５Ｂは他の棚板２５Ａよりも前後寸法を小さく形成して、各棚板２５の前端位置が揃うように構成することができる。固定具５８は、ラッチ式固定具以外に、スナップ錠やボルトとナットによる締結固定具などであってもよい。また本発明は、上記実施例で示した２温度式のオープンショーケースの他に、冷蔵または冷凍オープンショーケース、冷蔵または冷凍クローズドショーケースに適用することができる。
【符号の説明】
【００４４】
１  本体ケース
２  内ケース
３  陳列室
４  循環通路
１１  背面板
１３  底板
１６  縦ダクト
１８  下ダクト
２５  棚板
２５Ａ  他の棚板
２５Ｂ  最下段の棚板
２６  棚ブラケット
３３  冷気供給孔
３４  冷気ガイド
３５  ガイド壁
４１  中間ダクト
４６  ダンパー開口
５１  棚付属品
５１Ａ  仕切体（仕切り棒）
５２  収納室
５３  収納凹部
５４  蓋体
６６  ダクト収納レール
Ａ１  低温エリア
Ａ２  高温エリア
Ｃ  入隅部
【図１】
2020005699.tif 000003
【図２】
2020005699.tif 000004
【図３】
2020005699.tif 000005
【図４】
2020005699.tif 000006
【図５】
2020005699.tif 000007
【図６】
2020005699.tif 000008